(57)【特許請求の範囲】
【請求項１】
（ｉ）下記一般式（１）で表される構造単位を必須として有し、重量平均分子量が２０００〜５００００のアクリル酸系水溶性重合体と、
（ｉｉ）プロピオン酸（塩）を含有するアクリル酸系水溶性重合体組成物であって、
上記アクリル酸系水溶性重合体に対し、プロピオン酸（塩）が５０ｐｐｍ以上０．５質量％以下
である、アクリル酸系水溶性重合体組成物。
【化１】
0005562166.tif 000007
上記一般式（１）において、Ｍは、水素原子、リチウム原子、ナトリウム原子、カリウム原子等のアルカリ金属、カルシウム、マグネシウム等のアルカリ土類金属、アンモニア、４級アミン塩を表す。
【請求項２】
（ｉ）下記一般式（１）で表される構造単位を必須として有し、重量平均分子量が２０００〜５００００のアクリル酸系水溶性重合体と、
（ｉｉ）プロピオン酸（塩）を含有するアクリル酸系水溶性重合体組成物であって、
上記アクリル酸系水溶性重合体に対し、プロピオン酸（塩）が５０ｐｐｍ以上０．５質量％以下であり
、上記アクリル酸系水溶性重合体はグリセリンを原料とするアクリル酸を必須として重合することにより製造されたものである、
アクリル酸系水溶性重合体組成物。
【化２】
0005562166.tif 000008
上記一般式（１）において、Ｍは、水素原子、リチウム原子、ナトリウム原子、カリウム原子等のアルカリ金属、カルシウム、マグネシウム等のアルカリ土類金属、アンモニア、４級アミン塩を表す。
【請求項３】
水処理剤、繊維処理剤、分散剤、洗剤ビルダー（または洗剤組成物）、スケール防止剤（スケール抑制剤）、金属イオン封止剤、増粘剤、セメント添加剤、各種バインダー、乳化剤、スキンケア剤、ヘアケア剤用の請求項１または請求項２に記載のアクリル酸系水溶性重合体組成物。
【請求項４】
洗剤ビルダー（または洗剤組成物）、顔料分散剤用の請求項１または請求項２に記載のアクリル酸系水溶性重合体組成物。
【発明の詳細な説明】
【技術分野】
【０００１】
本発明は、アクリル酸系共重合体およびその製造方法に関する。
【背景技術】
【０００２】
水溶性重合体等の原料に用いられるアクリル酸は、プロピレンの気相酸化反応により得られたアクロレインに気相酸化反応を施すことにより工業的に広く使用されている。
近年、石油資源の枯渇化や、環境面への配慮から、植物原料由来の原料を用いてアクリル酸を製造する取り組みが行なわれている。例えば、グリセリンの気相脱水反応生成物に気相酸化を施すことにより、アクリル酸を製造することが開示されている（特許文献１）。
【０００３】
一方、アクリル酸系共重合体は、水溶性重合体であり、種々の分野において広く使用されているが、その中でも、低分子量のものはキレート能や分散性能に優れており、無機顔料や金属イオン等の分散剤；洗剤ビルダー；防蝕剤やスケール防止剤等の水処理剤；セメント添加剤、；製鉄原料の造粒処理剤等の各種用途に好適に使用されている（例えば特許文献２〜３）。
ここで、水溶性重合体は、水溶液の形態で広く流通されているが、例えば洗剤ビルダーや顔料分散剤として、洗剤組成物や無機粒子スラリーの製造に使用される場合、得られる製品の製造工程の問題から、なるべく水分量の低い水溶性重合体水溶液が要求される。ところが、水溶性重合体水溶液における水分量を低下した場合、水溶性重合体水溶液の粘度が高くなり、取り扱い上問題となる。
【０００４】
例えば水溶性重合体水溶液をドラム缶で出荷して、使用時に洗剤製造工程や顔料スラリー製造工程にて使用するために原料タンク等へ送液する場合、ポンプに過大な負荷がかかることによるポンプの破損や、配管の詰まりが生じる等の問題がある。
また、ドラム缶をドラムヒーター等で加熱して粘性を下げようとする場合、局所的な温度調節が難しいことから、着色の原因となり、洗剤や紙製品の品質低下を引き起こす場合がある。
【０００５】
また、一般的にアクリル酸系重合体は腐敗し難い化合物であるが、例えば水溶性重合体水溶液をドラム缶で船便などで長期間かけて出荷する場合、稀にカビが発生する場合もある。
【先行技術文献】
【特許文献】
【０００６】
【特許文献１】特開２００５−２１３２２５公報
【特許文献２】特開平１１−１２８７１５号公報
【特許文献３】特開２０００−８０３９６号公報
【発明の概要】
【発明が解決しようとする課題】
【０００７】
従来より一層取り扱い性が良く、流通時安定性の高いアクリル酸系重合体およびその製造方法を提供する。
【課題を解決するための手段】
【０００８】
本発明者らは、上記目的を達成するために様々なアクリル酸系重合体（組成物）について鋭意検討を行なった結果、特定のアクリル酸系重合体（組成物）が、良好な取り扱い性及び耐腐敗性（防カビ性）を示すことを見いだし、本発明を完成した。
すなわち、本発明は、（ｉ）下記一般式（１）で表される構造単位を必須として有し、重量平均分子量が２０００〜５００００のアクリル酸系重合体と、（ｉｉ）プロピオン酸（塩）を含有するアクリル酸系重合体組成物であって、上記アクリル酸系重合体に対し、プロピオン酸（塩）が５０ｐｐｍ以上０．５質量％以下である、アクリル酸系重合体組成物である。
【０００９】
【化１】
0005562166.tif 000002
【００１０】
上記一般式（１）において、Ｍは、水素原子、リチウム原子、ナトリウム原子、カリウム原子等のアルカリ金属、カルシウム、マグネシウム等のアルカリ土類金属、アンモニア、４級アミン塩を表す。
本発明はまた、（ｉ）下記一般式（１）で表される構造単位を必須として有し、重量平均分子量が２０００〜５００００のアクリル酸系重合体と、（ｉｉ）プロピオン酸（塩）を含有するアクリル酸系重合体組成物であって、上記アクリル酸系重合体に対し、プロピオン酸が５０ｐｐｍ以上０．５質量％以下であり、上記アクリル酸系重合体はグリセリンを原料とするアクリル酸を必須として重合することにより製造されたものである、アクリル酸系重合体組成物である。
【００１１】
【化２】
0005562166.tif 000003
【００１２】
上記一般式（１）において、Ｍは、水素原子、リチウム原子、ナトリウム原子、カリウム原子等のアルカリ金属、カルシウム、マグネシウム等のアルカリ土類金属、アンモニア、４級アミン塩を表す。
【００１３】
本発明の別の局面では、重合体の製造方法が提供される。すなわち、本発明の重合体の製造方法は、プロピオン酸（塩）を含むアクリル酸を必須として重合することを特徴とするアクリル酸系重合体の製造方法であって、上記アクリル酸に対し、プロピオン酸（塩）が５０ｐｐｍ以上０．５質量％以下の範囲で重合することを特徴とする、アクリル酸系共重合体の製造方法である。
【発明の効果】
【００１４】
本発明の重合体は、優れた良好な取り扱い性及び耐腐敗性を示すことから、洗剤ビルダー等の水溶性ポリマー用途に好適に使用することができる。
【発明を実施するための形態】
【００１５】
以下、本発明を詳細に説明する。
【００１６】
〔アクリル酸系重合体（本発明の重合体ともいう）〕
＜必須の構造単位＞
本発明の重合体は、下記一般式（１）で表される構造単位を必須として有することを特徴としている。
【００１７】
【化３】
0005562166.tif 000004
上記一般式においてＭは、本発明の重合体の製造が容易であり、また本発明の重合体を洗剤用途等に使用した場合の洗浄力の向上効果等に優れることから、ナトリウム原子、カリウム原子であることが好ましく、ナトリウム原子であることが特に好ましい。
上記一般式（１）で表される構造単位は、アクリル酸（塩）を必須とする単量体成分を重合開始剤の存在下で重合することによって形成することが好ましい。ここで、アクリル酸（塩）とは、アクリル酸、アクリル酸塩をいう。アクリル酸塩における塩とは、アルカリ金属塩、アルカリ土類金属塩、アンモニウム塩または有機アミン塩である。具体的には、ナトリウム塩、リチウム塩、カリウム塩、ルビジウム塩、セシウム塩等のアルカリ金属塩；マグネシウム塩、カルシウム塩、ストロンチウム塩、バリウム塩等のアルカリ土類金属塩；有機アミン塩としては、モノエタノールアミン塩、ジエタノールアミン塩、トリエタノールアミン塩等のアルカノールアミン塩、モノエチルアミン塩、ジエチルアミン塩、トリエチルアミン塩等のアルキルアミン塩、エチレンジアミン塩、トリエチレンジアミン塩等のポリアミン等の有機アミンの塩、が挙げられる。この中でもナトリウム塩、カリウム塩が特に好ましい。
なお、上記一般式（１）で表される構造単位をアクリル酸（塩）由来の構造単位と言うことがあるが、アクリル酸（塩）由来の構造単位を含むとは最終的に得られた重合体が上記一般式（１）で表される構造単位を含むことを意味し、アクリル酸（塩）を重合させることによって重合体中に導入されたものに限られない。
【００１８】
本発明の重合体は、その用途により特に言及する場合を除き、上記一般式（１）で表される構造単位を全単量体由来の構造単位（上記一般式（１）で表される構造単位とその他の単量体由来の構成単位）１００質量％に対して、５質量％以上１００質量％以下の割合で有していることが好ましい。上記一般式（１）で表される構造単位が上記範囲内であれば、重合体の分散性等が優れたものとなる。重合体の洗浄力やキレート力を向上する観点からは、上記一般式（１）で表される構造単位は、全単量体由来の構造単位１００質量％に対して５０質量％以上１００質量％以下であることがより好ましく、８０質量％以上１００質量％以下であることがさらに好ましく、９０質量％以上１００質量％以下であることが特に好ましい。
本発明において、上記一般式（１）で表される構造単位の全単量体由来の構造単位に対する割合を計算する際には、対応する酸型換算で計算するものとする。例えば、上記一般式（１）で表される構造単位が、−ＣＨ２−ＣＨ（ＣＯＯＮａ）−、で表される塩型構造の場合、対応する酸型構造である、−ＣＨ２−ＣＨ（ＣＯＯＨ）−、として質量割合を計算する。
【００１９】
＜その他の単量体由来の構造単位＞
本発明の重合体は、上記一般式（１）で表される構造単位を必須としているが、その他の単量体由来の構造単位（ｅ）を含んでいても良い。
【００２０】
その他の単量体由来の構造単位（ｅ）とは、その他の単量体の不飽和二重結合が単結合になった構造であり、例えば単量体（Ｅ）がアクリル酸メチルの場合、その他の単量体由来の構造単位（ｅ）は、−ＣＨ２−ＣＨ（ＣＯＯＣＨ３）−、で表すことができる。なお、その他の単量体由来の構造単位（ｅ）を含むとは、最終的に得られた重合体がその他の単量体由来の構造単位（ｅ）を含むことを意味し、その他の単量体（単量体（Ｅ）とも言う）を重合させることによって重合体中に導入されたものに限られない。
【００２１】
その他の単量体は、アクリル酸（塩）と共重合可能な単量体であることが好ましい。
その他の単量体（Ｅ）としては、特に限定されるものではなく、所望の効果によって適宜選択される。
具体的には、メタクリル酸、クロトン酸、α−ヒドロキシアクリル酸、α−ヒドロキシメチルアクリル酸及びその誘導体等の、上記アクリル酸（塩）以外の不飽和モノカルボン酸及びこれらの塩等；イタコン酸、フマル酸、マレイン酸、２−メチレングルタル酸等の不飽和ジカルボン酸及びこれらの塩；ビニルスルホン酸、１−アクリルアミド−１−プロパンスルホン酸、２−アクリルアミド−２−プロパンスルホン酸、２−（メタ）アクリルアミド−２−メチル−１−プロパンスルホン酸、（メタ）アリルオキシベンゼンスルホン酸、スチレンスルホン酸、スルホエチル（メタ）アクリレート、スルホプロピル（メタ）アクリレート、（メタ）アリルスルホン酸、イソプレンスルホン酸、３−アリロキシ−２−ヒドロキシプロパンスルホン酸、およびこれらの塩等のスルホン酸基含有単量体；（メタ）アリルアルコール、イソプレノールにアルキレンオキサイドを付加した構造を有する単量体、アルコキシアルキレングリコールの（メタ）アクリル酸エステル等のポリアルキレングリコール鎖含有単量体；Ｎ−ビニルピロリドン、Ｎ−ビニルホルムアミド、Ｎ−ビニルアセトアミド、Ｎ−ビニル−Ｎ−メチルホルムアミド、Ｎ−ビニル−Ｎ−メチルアセトアミド、Ｎ−ビニルオキサゾリドン等のＮ−ビニル単量体；（メタ）アクリルアミド、Ｎ，Ｎ−ジメチルアクリルアミド、Ｎ−イソプロピルアクリルアミド等のアミド系単量体；（メタ）アリルアルコール等のアリルエーテル系単量体；イソプレノール、等のイソプレン系単量体；ブチル（メタ）アクリレート、２−エチルヘキシル（メタ）アクリレート、ドデシル（メタ）アクリレート等の（メタ）アクリル酸アルキルエステル系単量体；ヒドロキシエチル（メタ）アクリレート、２−ヒドロキシエチル（メタ）アクリレート、ヒドロキシプロピル（メタ）アクリレート、ヒドロキシブチル（メタ）アクリレート、２−ヒドロキシブチル（メタ）アクリレート、４−ヒドロキシブチル（メタ）アクリレート、α−ヒドロキシメチルエチル（メタ）アクリレート、ヒドロキシペンチル（メタ）アクリレート、ヒドロキシネオペンチル（メタ）アクリレート、ヒドロキシヘキシル（メタ）アクリレート等の（メタ）アクリル酸ヒドロキシアルキル系単量体；スチレン、インデン、ビニルアニリン等のビニルアリール単量体、イソブチレン、酢酸ビニル；ビニルピリジン、ビニルイミダゾール等の複素環式芳香族炭化水素基とアミノ基を有するビニル芳香族系アミノ基含有単量体およびこれらの４級化物や塩；ジメチルアミノエチルアクリレート、ジメチルアミノエチルメタクリレート、ジメチルアミノプロピルアクリレート、アミノエチルメタクリレート等のアミノアルキル（メタ）アクリレート類およびこれらの４級化物や塩；ジアリルアミン、ジアリルジメチルアミン等のアリルアミン類およびこれらの４級化物や塩；（ｉ）（メタ）アリルグリシジルエーテル、イソプレニルグリシジルエーテル、ビニルグリシジルエーテルのエポキシ環に、（ｉｉ）ジメチルアミン、ジエチルアミン、ジイソプロピルアミン、ジｎ−ブチルアミン等のジアルキルアミン、ジエタノールアミン、ジイソプロパノールアミン等のアルカノールアミン、イミノジ酢酸、グリシン等のアミノカルボン酸、モルホリン、ピロール等の環状アミン類等のアミンを反応させることにより得られる単量体およびこれらの４級化物や塩等、が挙げられる。
また、上記他の単量体（Ｅ）は、１種を単独で使用してもあるいは２種以上の混合物の形態で使用されてもよい。
【００２２】
本発明の重合体は、任意であるが、その他の単量体由来の構造単位（ｅ）が全単量体由来の構造１００質量％に対して、０質量％以上９５質量％以下であることが好ましい（その用途により特に言及する場合を除く）。全単量体由来の構造１００モル％に対する構造単位（ｅ）の割合は、より好ましくは０質量％以上５０質量％以下であり、さらに好ましくは０質量％以上２０質量％以下であり、特に好ましくは０質量％以上１０質量％以下である。
本発明において、その他の単量体由来の構造単位（ｅ）の全単量体由来の構造単位に対する割合を計算する際には、その他の単量体が酸基の塩を有する場合は対応する酸型換算で計算するものとし、アミノ基の塩を有する場合は、対応する未中和のアミン換算で計算するものとし、４級化されたアミノ基を有する場合はカウンターアニオンの質量は含めないで計算するものとする。
【００２３】
＜その他の構造単位＞
本発明の重合体は、開始剤や連鎖移動剤に由来する構造単位を含んでいても良い。例えば、重亜硫酸塩に由来するスルホン酸（塩）基や、過酸化水素に由来する水酸基、次亜リン酸（塩）に由来するホスフィネート基等が好ましく例示される。特に本発明の重合体がスルホン酸（塩）基を有すると、重合体の耐塩性が向上することから好ましい。
全単量体由来の構造１００質量％に対して、開始剤や連鎖移動剤に由来する構造単位は、０．０５〜１０質量％であることがより好ましく、０．１〜５質量％であることが更に好ましい。
【００２４】
＜アクリル酸系重合体の分子量＞
本発明に係るアクリル酸系重合体の重量平均分子量Ｍｗは、２０００〜５００００、好ましくは２５００〜２５０００、より好ましくは３０００〜１５０００である。重量平均分子量がこの範囲内であれば、上記（メタ）アクリル酸系重合体は、分散能、キレート能および耐ゲル性といった各種性能をより顕著かつ効果的に発揮することができる。そのため、分散剤やスケール防止剤、洗剤ビルダーなどの用途に、より一層好適に用いることができる。アクリル酸系重合体の重量平均分子量が２０００未満の場合には、十分なキレート能や炭酸カルシウムのスケール防止能が低下する傾向にある。一方、アクリル酸系重合体の重量平均分子量が５００００を超える場合には、耐ゲル性や分散性が低下する傾向にある。
【００２５】
また、本発明に係るアクリル酸系重合体の分散度（Ｍｗ／Ｍｎ）は、１．５〜１０、好ましくは１．５〜５．０、より好ましくは１．５〜２．７である。上記範囲であれば、分散性等の向上効果が得られやすくなる。
【００２６】
なお、上記重量平均分子量（Ｍｗ）および数平均分子量（Ｍｎ）は、後述の実施例に記載した方法で測定する。
【００２７】
＜アクリル酸系重合体の含有するＳ原子＞
本発明のアクリル酸系重合体は、分子内に硫黄原子を含むことが好ましい。より好ましくは、分子の主鎖末端にスルホン酸基を含むことである。主鎖末端にスルホン酸基を有することにより、炭酸カルシウムのスケール防止能やカルシウムキレート能等の性能に悪影響を与えることなく、耐ゲル性が顕著に向上することから好ましい。
例えば、連鎖移動剤として重亜硫酸塩を使用すると、一部は重合体の分子構造に取り込まれることになるが、この場合、通常は分子の主鎖末端にスルホン酸基として導入される。ここで、後述する本発明のアクリル酸系重合体の製造方法により重合を行なえば、不純物の生成を押さえ、効率よく主鎖末端にスルホン酸基を導入することが可能になる為好ましい。
【００２８】
ところで、アクリル酸系重合体（組成物）は、通常、アクリル酸系共重合体の他に原料の残渣等を含むことになる。例えば連鎖移動剤に重亜硫酸塩を使用すれば、Ｓ原子を含む不純物を含むことになる。これらの不純物が増えればアクリル酸系重合体の物性は低下することになり、また重合体を水溶液形態で保存する場合には低温保存時の不純物の析出等が問題となるおそれがある為、これらの不純物はなるべく少なく抑えることが好ましい。具体的には、本発明のアクリル酸系重合体がＳ原子を含有する場合、アクリル酸系重合体（組成物）に含まれるＳ原子の含有量は、後述の透析膜を用いたＩＣＰ法により測定されるが、
Ｓ値＝（重合体に含まれるＳ量）／（全Ｓ量）×１００で定義される硫黄元素導入量Ｓ値を３５以上に設定することが好ましい。硫黄元素導入量Ｓ値が３５以上の重合体では、該不純物に起因する性能低下を格段に低く抑えることが可能であり、また水溶液形態での低温保存時の不純物の析出も格段に低く抑えることができる。ここで、アクリル酸系重合体の硫黄元素導入量Ｓ値は、３５以上が好ましく、より好ましくは３５〜７０、さらに好ましくは４０〜６０の範囲である。
【００２９】
なお、上記硫黄元素導入量Ｓ値の定義に用いた「重合体に含まれるＳ量」とは、アクリル酸系重合体に含まれるＳ量をいう。詳しくは、実施例で説明する透析法によって測定される、重合により得られたアクリル酸系重合体の固形分濃度を調整してなる水溶液から不純物や開始剤断片などの低分子量成分を取り除いた後のアクリル酸系重合体からなる高分子成分中に含まれるＳ量をいう。言い換えれば、（アクリル酸系重合体の末端や側鎖にスルホン酸基等の硫黄含有基として導入されているＳ量ともいえる。したがって、硫黄元素導入量Ｓ値が大きいほど、使用した開始剤などに含まれるＳ成分のより多くが重合反応により好適に重合体に導入されているといえる。また、上記硫黄元素導入量Ｓ値の定義に用いた「全Ｓ量」とは、アクリル酸系重合体が存在する組成物に含まれる全てのＳ量をいう。なお、ここで、全Ｓ量として、重合に用いる原料中のＳ量を用いなかったのは、亜硫酸ガスとして系外に排出されてしまったＳ量（硫黄分）については、アクリル酸系重合体（水溶液）中に存在しないため、低温保存時にＳ含有不純物として析出するおそれがないためである。
上記の通り、後述する本発明のアクリル酸系重合体の製造方法により重合を行なえば、不純物の生成を押さえ、効率よく主鎖末端にスルホン酸基を導入することが可能になる。
【００３０】
＜アクリル酸系重合体組成物＞
本発明のアクリル酸系重合体組成物は、（ｉ）本発明のアクリル酸系重合体と、（ｉｉ）プロピオン酸（塩）を必須として含有し、通常はその他に、重合開始剤残渣、残存モノマー、重合時の副生成物、水分から選ばれる１以上を含有する。本発明のアクリル酸系重合体組成物は、上記本発明のアクリル酸系重合体（酸型換算）に対し、プロピオン酸（塩）が５０ｐｐｍ以上０．５質量％以下であることを特徴としている。上記範囲であれば、本発明のアクリル酸系重合体組成物が水溶液である場合の粘度を低減する効果が発揮され、また、アクリル酸系重合体組成物を洗剤用途に使用した場合の洗浄力も維持できることとなる。さらに、アクリル酸系重合体組成物へのカビの発生を効果的に抑えることが可能となる。上記本発明のアクリル酸系重合体（酸型換算）に対し、プロピオン酸（塩）が６０ｐｐｍ以上０．３質量％以下であることが好ましく、プロピオン酸（塩）が８０ｐｐｍ以上０．２５質量％以下であることがさらに好ましい。
なお、本発明のアクリル酸系重合体組成物におけるアクリル酸系重合体とプロピオン酸（塩）の質量比を計算する場合には、酸型換算で計算する。例えば、プロピオン酸ナトリウムであれば、対応する酸であるプロピオン酸として計算する。
上記プロピオン酸（塩）の塩としては、アクリル酸（塩）における塩と同様の塩が例示されるが、好ましくはナトリウム塩、カリウム塩（すなわち、プロピオン酸ナトリウム、プロピオン酸カリウム、である）。
本発明の重合体組成物１００質量％に対し、本発明の共重合体を１〜９９．９９質量％含有することが好ましい（本発明のアクリル酸系重合体水溶液とも言う）。好ましい共重合体組成物の形態の一つは、共重合体を４０〜６０質量％含有し、水を４０〜６０質量％含有する形態である。上記範囲であれば、洗剤組成物や分散剤スラリーの製造工程においても、効率よく製品を製造することが可能となる。
【００３１】
＜アクリル酸系重合体の製造方法＞
（単量体組成）
本発明の重合体の製造方法は、その用途により特に言及する場合を除き、全単量体（アクリル酸（塩）とその他の単量体の合計）使用量１００質量％に対して、５質量以上１００質量％以下のアクリル酸（塩）（単量体（Ａ）とも言う）を必須とし、必要に応じて全単量体の使用量１００質量％に対して、０質量％以上９５質量％以下のその他の単量体（単量体（Ｅ））を任意成分として、重合することが好ましい。本発明の重合体の製造方法においては、上記単量体（Ａ）、単量体（Ｅ）は、それぞれ１種を用いても、２種以上を用いても構わない。
全単量体使用量１００質量％に対して、アクリル酸（塩）の使用量は、５０質量％以上１００質量％以下であることがより好ましく、８０質量％以上１００質量％以下であることがさらに好ましく、９０質量％以上１００質量％以下であることが特に好ましい。
全単量体使用量１００質量％に対して、任意成分であるその他の単量体の使用量は、０質量％以上５０質量％以下であることがより好ましく、０質量％以上２０質量％以下であることがさらに好ましく、０質量％以上１０質量％以下であることが特に好ましい。
【００３２】
なお、本発明で使用するアクリル酸は、グリセリンを原料とするアクリル酸を含むものであることが好ましい。石油資源への依存を減らし、環境への付加の少ないという利点のみならず、例えば、国際公開第２０１０／０７４１７７号に記載の通り、グリセリンを原料とするアクリル酸の製造方法における副生成物として、プロピオン酸が非常に多く生成し、従来のプロピレンを原料とするアクリル酸の精製プロセスを適用しても、プロピオン酸を除き切れないという問題が生じるが、本発明の重合体の製造方法によれば、過度なアクリル酸の精製工程を経ることなく、好ましくグリセリンを原料とするアクリル酸を使用することが可能となる。さらに、グリセリンを原料とするアクリル酸に含まれるプロピオン酸に起因して、上記本発明の効果を得ることが可能となるという利点が存する。
本発明の製造方法において、グリセリンを原料とするアクリル酸を使用する場合、全アクリル酸（塩）の使用量に対する、グリセリンを原料とするアクリル酸の使用量（質量％）は、アクリル酸（塩）とプロピオン酸（塩）の割合（質量％）が下記の範囲になるように設定することが好ましい。例えば、全アクリル酸（塩）の使用量１００質量％に対し、グリセリンを原料とするアクリル酸の使用量が５〜１００質量％であることが好ましい。
本発明の重合体の製造方法において、アクリル酸（塩）（酸型換算）に対し、プロピオン酸（塩）（酸型換算）が５０ｐｐｍ以上０．５質量％以下の範囲となるように重合する態様は、好ましい態様である。プロピオン酸（塩）（酸型換算）が６０ｐｐｍ以上０．３質量％以下であることがより好ましく、８０ｐｐｍ以上０．２５質量％以下であることがさらに好ましい。
但し、アクリル酸（塩）に対し、プロピオン酸（塩）が存在しない態様で重合を行い、重合後に所定量のプロピオン酸（塩）を添加することにより、本発明の重合体組成物を製造しても構わない。
【００３３】
（開始剤）
本発明の重合体の製造方法は、上記単量体成分（単量体（Ａ）、単量体（Ｅ）を言い、単量体組成物ということもある。）を重合開始剤の存在下で重合することが好ましい。
上記開始剤としては、公知のものを使用することができ、例えば、過酸化水素；過硫酸ナトリウム、過硫酸カリウム、過硫酸アンモニウム等の過硫酸塩；ジメチル２，２’−アゾビス（２−メチルプロピオネート）、２，２’−アゾビス（イソブチロニトリル）、２，２’−アゾビス（２−メチルブチロニトリル）、２，２’−アゾビス（２，４−ジメチルバレロニトリル）、２，２’−アゾビス（４−メトキシ−２，４−ジメチルバレロニトリル）、２，２’−アゾビス（イソ酪酸）ジメチル、４，４’−アゾビス（４−シアノ吉草酸）、２，２’−アゾビス（２−メチルプロピオンアミジン）二塩酸塩、２，２’−アゾビス［Ｎ−（２−カルボキシエチル）−２−メチルプロピオンアミジン］ｎ水和物、２，２’−アゾビス［２−（２−イミダゾリン−２−イル）プロパン］二塩酸塩、２，２’−アゾビス［２−（２−イミダゾリン−２−イル）プロパン］二硫酸塩二水和物、１，１’−アゾビス（シクロヘキサン−１−カルボニトリル）等のアゾ系化合物；過酸化ベンゾイル、過酸化ラウロイル、過酢酸、ジ−ｔ−ブチルパーオキサイド、クメンヒドロパーオキサイド等の有機過酸化物等が好適である。これらの重合開始剤のうち、得られる重合体の耐ゲル性、耐塩性が向上する傾向にあることから、後述する通り、過硫酸塩を使用することが好ましい。
開始剤の使用量は、単量体（Ａ）、必要であれば他の単量体（Ｅ）の重合を開始できる量であれば特に制限されないが、以下に特に記載する場合を除き、単量体（Ａ）、（Ｅ）からなる全単量体成分１モルに対して、１５ｇ以下、より好ましくは１〜１２ｇであることが好ましい。
【００３４】
（連鎖移動剤）
本発明の重合体の製造方法は、必要に応じ、重合に悪影響を及ぼさない範囲内で、重合体の分子量調整剤として連鎖移動剤を用いても良い。連鎖移動剤としては、具体的には、メルカプトエタノール、チオグリセロール、チオグリコール酸、２−メルカプトプロピオン際、３−メルカプトプロピオン際、チオリンゴ酸、チオグリコール酸オクチル、３−メルカプトプロピオン酸オクチル、２−メルカプトエタンスルホン酸、ｎ−ドデシルメルカプタン、オクチルメルカプタン、ブチルチオグリコレート等の、チオール系連鎖移動剤；四塩化炭素、塩化メチレン、ブロモホルム、ブロモトリクロロエタン等の、ハロゲン化物；イソプロパノール、グリセリン等の、第２級アルコール；亜リン酸、次亜リン酸、及びその塩（次亜リン酸ナトリウム、次亜リン酸カリウム等）や、亜硫酸、重亜硫酸、亜二チオン酸、メタ重亜硫酸、及びその塩（重亜硫酸ナトリウム、重亜硫酸カリウム、亜二チオン酸ナトリウム、亜二チオン酸カリウム、メタ重亜硫酸ナトリウム、メタ重亜硫酸カリウム等）等の、低級酸化物およびその塩などが挙げられる。上記連鎖移動剤は、単独で使用されてもあるいは２種以上の混合物の形態で使用されてもよい。
連鎖移動剤を使用すると、製造される重合体が必要以上に高分子量化することを抑制し、低分子量の共重合体を効率よく製造することができるという利点がある。これらのうち、本発明に係る重合反応においては、上記の通り、重亜硫酸塩を用いることが好適である。これにより、得られる重合体の主鎖末端に定量的にスルホン酸基を導入することができるととなり、耐塩性や耐ゲル性を向上することが可能となる。また、連鎖移動剤として、重亜硫酸塩を用いることにより、重合体（組成物）の色調を改善することができるので好ましい。
本発明の製造方法において、連鎖移動剤の添加量は、単量体（Ａ）、必要であれば他の単量体（Ｅ）が良好に重合する量であれば制限されないが、以下に特に記載する場合を除き、好ましくは単量体（Ａ）、必要であれば他の単量体（Ｅ）からなる全単量体成分１モルに対して、１〜２０ｇ、より好ましくは２〜１５ｇである。
【００３５】
（好ましい開始剤と連鎖移動剤の組み合わせ（開始剤系ともいう））
本発明の重合体の製造方法は、開始剤系として、過硫酸塩および重亜硫酸塩をそれぞれ１種類以上組み合わせて用いることが好ましい。これにより、末端や側鎖にスルホン酸基を定量的に導入し、分散能やキレート能に加えて耐塩性、耐ゲル性にも特に優れた低分子量の水溶性重合体を得ることができ、本発明の効果を有効に発現させることができる。過硫酸塩に加えて、重亜硫酸塩を開始剤系に加えることで、得られる重合体が必要以上に高分子量化することが抑制され、低分子量の重合体を効率よく製造することができる。
【００３６】
上記過硫酸塩としては、具体的には、過硫酸ナトリウム、過硫酸カリウムおよび過硫酸アンモニウムなどを挙げることができる。
また、本発明において重亜硫酸塩とは、重亜硫酸塩、ピロ亜硫酸塩を含み、具体的には、重亜硫酸ナトリウム、重亜硫酸カリウム、重亜硫酸アンモニウムなどを挙げることができる。
上記過硫酸塩および重亜硫酸塩の添加比率は、過硫酸塩１質量部に対して、重亜硫酸塩は０．５〜５質量部、好ましくは１〜４質量部、より好ましくは２〜３質量部の範囲内である。過硫酸塩１質量部に対して重亜硫酸塩が０．５質量部未満であると、重亜硫酸塩による効果がすくなくなる傾向にある。そのため、重合体の末端のスルホン酸基を導入量が低下し、重合体の耐ゲル性が低下する傾向にある。また、アクリル酸系重合体の重量平均分子量も高くなる傾向にある。一方、過硫酸塩１質量部に対して重亜硫酸塩が５質量部を超えると、重亜硫酸塩による効果が添加比率に伴うほど得られない状態で、重合反応系において重亜硫酸塩が過剰に供給され（無駄に消費され）る傾向にある。このため、過剰な重亜硫酸塩が重合反応系で分解され、亜硫酸ガスが多量に発生する。そのほか、アクリル酸系重合体中の不純物が多く生成し、得られるアクリル系重合体の性能が低下する傾向にある。また、低温保持時の不純物が析出しやすくなる傾向にある。
【００３７】
上記開始剤である過硫酸塩および重亜硫酸塩の添加量は、単量体１モルに対して、開始剤の過硫酸塩および重亜硫酸塩の合計量が２〜２０ｇ、好ましくは４〜１８ｇ、より好ましくは６〜１５ｇ、さらに好ましくは９〜１２ｇである。上記開始剤の過硫酸塩および重亜硫酸塩の添加量が２ｇ未満の場合には、得られる重合体の分子量が増加する傾向にある。そのほか、得られるアクリル酸系重合体の末端に導入されるスルホン酸基等の硫黄含有基が低下する傾向にある。一方、添加量が２０ｇを超える場合には、開始剤の過硫酸塩および重亜硫酸塩の効果が添加量に伴うほど得られなくなり、逆に、得られるアクリル酸系重合体の純度が低下する傾向にある。
【００３８】
開始剤の１種である上記過硫酸塩は、後述する溶媒、好ましくは水に溶解して過硫酸塩の溶液（好ましくは水溶液）の形態で添加されてもよい。該過硫酸塩溶液（好ましくは水溶液）として用いる場合の濃度としては、１〜３５質量％、好ましくは５〜３５質量％、より好ましくは１０〜３０質量％である。ここで、過硫酸塩溶液の濃度が１質量％未満の場合には、製品の濃度が低下してしまい、輸送および保管が繁雑となる。一方、過硫酸塩溶液の濃度が３５質量％を超える場合には、取り扱いが難しくなる。
【００３９】
開始剤の１種である重亜硫酸塩は、後述する溶媒、好ましくは水に溶解して重亜硫酸塩の溶液（好ましくは水溶液）の形態で添加されてもよい。該重亜硫酸塩溶液（好ましくは水溶液）として用いる場合の濃度としては、１０〜４０質量％、好ましくは２０〜４０質量％、より好ましくは３０〜４０質量％である。ここで、重亜硫酸塩溶液の濃度が１０質量％未満の場合には、製品の濃度が低下してしまい、輸送および保管が繁雑となる。一方、重亜硫酸塩溶液の濃度が４０質量％を超える場合には、取り扱いが難しくなる。
【００４０】
（その他の添加剤）
本発明の重合体の製造方法において、上記単量体を水溶液中で重合する際に重合反応系に用いることのできる開始剤や連鎖移動剤以外の他の添加剤としては、本発明の作用効果に影響を与えない範囲で適当な添加剤を適量加えることができる。例えば、重金属濃度調整剤、ｐＨ調整剤などが用いられる。
上記重金属濃度調整剤は、特に制限されるべきものではなく、多価金属化合物または単体が利用できる。具体的には、オキシ三塩化バナジウム、三塩化バナジウム、シュウ酸バナジル、硫酸バナジル、無水バナジン酸、メタバナジン酸アンモニウム、硫酸アンモニウムハイポバナダス［（ＮＨ４）２ＳＯ４・ＶＳＯ４・６Ｈ２Ｏ］、硫酸アンモニウムバナダス［（ＮＨ４）Ｖ（ＳＯ４）２・１２Ｈ２Ｏ］、酢酸銅（ＩＩ）、銅（ＩＩ）、臭化銅（ＩＩ）、銅（ＩＩ）アセチルアセテート、塩化第二銅アンモニウム、塩化銅アンモニウム、炭酸銅、塩化銅（ＩＩ）、クエン酸銅（ＩＩ）、ギ酸銅（ＩＩ）、水酸化銅（ＩＩ）、硝酸銅、ナフテン酸銅、オレイン酸銅（ＩＩ）、マレイン酸銅、リン酸銅、硫酸銅（ＩＩ）、塩化第一銅、シアン化銅（Ｉ）、ヨウ化銅、酸化銅（Ｉ）、チオシアン酸銅、鉄アセチルアセナート、クエン酸鉄アンモニウム、シュウ酸第二鉄アンモニウム、硫酸鉄アンモニウム、硫酸第二鉄アンモニウム、クエン酸鉄、フマル酸鉄、マレイン酸鉄、乳酸第一鉄、硝酸第二鉄、鉄ペンタカルボニル、リン酸第二鉄、ピロリン酸第二鉄等の水溶性多価金属塩；五酸化バナジウム、酸化銅（ＩＩ）、酸化第一鉄、酸化第二鉄等の多価金属酸化物；硫化鉄（ＩＩＩ）、硫化鉄（ＩＩ）、硫化銅等の多価金属硫化物；銅粉末、鉄粉末を挙げることができる。
【００４１】
本発明の重合体の製造方法においては、得られるアクリル酸系重合体の重金属イオン濃度が０．０５〜１０ｐｐｍであることが望ましいことから、上記重金属濃度調整剤を必要に応じて適量添加するのが望ましい。さらに、本発明者らは、既存の鋼鉄（スチール）製や銅基合金製の反応容器内壁面に耐腐食性に優れるグラスライニング加工等された反応容器やＳＵＳ（スレンレス）製の容器や撹拌器などを用いた場合に、本発明の製造条件下において、上記に規定する適量の重金属イオン、特に鉄イオンが、容器等の材質であるＳＵＳから反応溶液中に溶出（供給）することを見出した。これは、費用対効果の面から有利である。本発明の製造方法にあっては、こうしたＳＵＳ製の反応容器や撹拌翼などの反応装置を利用する場合には、上記重金属濃度調整剤を添加する場合と同様の作用効果を奏しうる。なお、既存の鋼鉄（スチール）製や銅基合金製の反応容器であっても問題はないが、重金属イオン濃度が多く溶出されるおそれがある。そうした場合には、重金属による色がでてしまうため、こうした重金属イオンを除去する操作が必要となり、不経済である。また、グラスライニング加工等された反応容器であっても問題はなく、必要に応じて、重金属濃度調整剤を使用すればよい。
【００４２】
（重合溶媒）
本発明の重合体の製造方法は、通常は上記単量体を溶媒中で重合することになるが、その際に重合反応系に用いられる溶媒は、水、アルコール、グリコール、グリセリン、ポリエチレングリコール類などの水性の溶媒であることが好ましく、特に好ましくは水である。これらは１種単独で用いてもよいし２種以上を併用してもよい。また、上記単量体の溶媒への溶解性を向上させるために、各単量体の重合に悪影響を及ぼさない範囲で有機溶媒を適宜加えてもよい。
上記有機溶媒は、具体的には、メタノール、エタノールなどの低級アルコール；ジメチルホルムアルデヒドなどのアミド類；ジエチルエーテル、ジオキサンなどのエーテル類；などから、１種類または２種類以上を適宜選択して用いられうる。
上記溶媒の使用量は、単量体全量に対して４０〜２００質量％、好ましくは４５〜１８０質量％、より好ましくは５０〜１５０質量％の範囲である。該溶媒の使用量が１０質量％未満の場合には、分子量が高くなってしまう。一方、該溶媒の使用量が２００質量％を超える場合には、製造されたアクリル酸系重合体の濃度が低くなり、場合によっては溶媒除去が必要となる。なお、該溶媒の多くまたは全量は、重合初期に反応容器内に仕込んでおけばよいが、例えば溶媒の一部を、単独で重合中に反応系内に適当に添加（滴下）されてもよく、単量体成分や開始剤成分やその他の添加剤を予め溶媒に溶解させた形で、これらの成分と共に重合中に反応系内に適当に添加（滴下）されてもよい。
【００４３】
（重合温度）
上記単量体の重合における重合温度は、通常２５〜１５０℃であるが、２５〜９９℃であることが好ましい。重合温度は５０℃以上であることがより好ましく、７０℃以上であることが特に好ましい。また重合温度は９５℃以下であることが好ましく、９０℃以下であることがより好ましい。重合温度が２５℃未満の場合には、分子量の上昇、不純物が増加する。そのほか、重合時間が長くかかりすぎるため、生産性が低下する。一方、重合温度が９９℃を超える場合には、開始剤系として重亜硫酸塩を使用する場合に重亜硫酸塩が分解して亜硫酸ガスが多量に発生する。このため、重合後に液相に亜硫酸ガスが溶解して不純物が形成される。また、重合中に系外に亜硫酸ガスが排出され回収処理コストがかかる。そのほか、開始剤の重亜硫酸塩が亜硫酸ガスとして抜けてしまうため、添加に見合うだけの十分な効果が得られず、分子量が下がらなくなる。なお、ここでの重合温度とは、反応系内の反応溶液温度をいう。
【００４４】
特に、室温から重合を開始する方法（室温開始法）の場合には、例えば、１バッチ当たり１８０分で重合を行なう場合（１８０分処方）であれば、７０分以内に、好ましくは０〜５０分間、より好ましくは０〜３０分間で設定温度（上記に規定する重合温度の範囲内であればよいが、好ましくは７０〜９０℃、より好ましくは８０〜９０℃程度）に達するようにする。その後、重合終了までかかる設定温度を維持することが望ましい。昇温時間が上記範囲を外れる場合には、得られるアクリル酸系重合体が高分子量化する恐れがある。なお、重合時間が１８０分の例を示したが、重合時間の処方が異なる場合には当該例を参照に、重合時間に対する昇温時間の割合が同様になるように昇温時間を設定するのが望ましい。
【００４５】
（反応系の圧力、反応雰囲気）
上記単量体の重合に際して、反応系内の圧力は、特に限定されない。常圧（大気圧）下、減圧下、加圧下の何れの圧力下であってもよい。好ましくは、開始剤系として重亜硫酸塩を使用する場合に、重合中、亜硫酸ガスの放出を防ぎ、低分子量化を可能にするため、常圧または、反応系内を密閉し、加圧下で行うのがよい。また、常圧（大気圧）下で重合を行うと、加圧装置や減圧装置を併設する必要がなく、また耐圧製の反応容器や配管を用いる必要がない。このため、製造コストの観点からは、常圧（大気圧）が好ましい。すなわち、得られるアクリル酸系重合体の使用目的によって、適宜最適な圧力条件を設定すればよい。
反応系内の雰囲気は、空気雰囲気のままで行ってもよいが、不活性雰囲気とするのがよい。例えば、重合開始前に系内を窒素などの不活性ガスで置換することが望ましい。これにより、反応系内の雰囲気ガス（例えば、酸素ガスなど）が液相内に溶解し、重合禁止剤として作用する。その結果、開始剤（過硫酸塩等）が失活して低減するのが防止され、より低分子量化が可能となる。
【００４６】
（重合中の中和度）
本発明の製造方法では、上記単量体の重合反応は、酸性条件下で行うのが望ましい。酸性条件下で行うことによって、重合反応系の水溶液の粘度の上昇を抑制し、低分子量のアクリル酸系重合体を良好に製造することができる。しかも、従来よりも高濃度の条件下で重合反応を進行させることができるため、製造効率を大幅に上昇させることができる。特に、重合中の中和度を１〜２５ｍｏｌ％と低くすることで、上記開始剤量低減による効果を相乗的に高めることができ、不純物の低減効果を格段に向上させることができる。さらに重合中の反応溶液の２５℃でのｐＨが１〜６となるように調整するのが望ましい。このような酸性条件下で重合反応を行うことにより、高濃度かつ一段で重合を行うことができる。そのため、従来の製造方法では場合によっては必要であった濃縮工程を省略することも可能である。それゆえ、アクリル酸系重合体の生産性が大幅に向上し、製造コストの上昇も抑制しうる。
【００４７】
上記酸性条件のうち、重合中の反応溶液の２５℃でのｐＨは１〜６が好ましく、より好ましくは１〜５、さらに好ましくは１〜４である。該ｐＨが１未満の場合には、亜硫酸ガスの発生、装置の腐食が生じるおそれがある。一方、ｐＨが６を超える場合には、開始剤系として重亜硫酸塩を使用する場合に、重亜硫酸塩の効率が低下し、分子量が増大する。
【００４８】
上記重合中の反応溶液のｐＨに調整するためのｐＨ調整剤としては、水酸化ナトリウム、水酸化カリウム等のアルカリ金属の水酸化物、水酸化カルシウム、水酸化マグネシウム等のアルカリ土類金属の水酸化物、アンモニア、モノエタノールアミン、トリエタノールアミン等の有機アミン塩等が挙げられる。これらは１種単独で用いてもよいし、２種以上を併用してもよい。これらの中で、水酸化ナトリウム、水酸化カリウム等のアルカリ金属の水酸化物が好ましく、水酸化ナトリウムが特に好ましい。本発明では、これらのものを単に「ｐＨ調整剤」あるいは「中和剤」と言う場合がある。
【００４９】
重合中の中和度は１〜２５ｍｏｌ％が好ましいが、より好ましくは２〜１５ｍｏｌ％、さらに好ましくは３〜１０ｍｏｌ％の範囲内である。重合中の中和度がかかる範囲内であれば、最も良好に重合することが可能であり、不純物を低減し、耐塩性、耐ゲル性の良好な重合体を製造することが可能になる。また、重合反応系の水溶液の粘度が上昇することがなく、低分子量の重合体を良好に製造することができる。しかも、従来よりも高濃度の条件下で重合反応を進行させることができるため、製造効率を大幅に上昇させることができる。重合中の中和度が１ｍｏｌ％未満の場合には、開始剤系として重亜硫酸塩を使用する場合に、亜硫酸ガスの発生量が多くなり、分子量が上昇する場合がある。一方、重合中の中和度が２５ｍｏｌ％を超える場合には、重亜硫酸塩の連鎖移動効率が低下し、分子量が上昇する場合がある。そのほか、重合が進行するに伴い重合反応系の水溶液の粘度の上昇が顕著となる。その結果、得られる重合体の分子量が必要以上に増大して低分子量の重合体が得られなくなる。さらに、上記中和度低減による効果を十分に発揮できず、不純物を大幅に低減するのが困難になる場合がある。
【００５０】
ここでの中和の方法は、特に制限されない。例えば、アクリル酸ナトリウムなどの（アクリル酸の塩を原料の一部として使用しても良いし、中和剤として、水酸化ナトリウムなどのアルカリ金属の水酸化物等を用いて重合中に中和しても良いし、これらを併用してもよい。また、中和の際の中和剤の添加形態は、固体であってもよいし、適当な溶媒、好ましくは水に溶解した水溶液であってもよい。水溶液を用いる場合の水溶液の濃度は、１０〜６０質量％、好ましくは２０〜５５質量％、より好ましくは３０〜５０質量％である。該水溶液の濃度が２０質量％未満の場合には、製品の濃度が低下してしまい、輸送および保管が繁雑となる。一方、６０質量％を超える場合には、析出のおそれがあり、粘度も高くなるので送液が繁雑となる。
【００５１】
（原料の添加条件）
重合に際しては、上記単量体、開始剤、連鎖移動剤その他の添加剤は、これらを予め適当な溶媒（好ましくは被滴下液用の溶媒と同種の溶媒）に溶解し、単量体溶液、開始剤溶液および連鎖移動剤溶液その他の添加剤溶液として、それぞれを反応容器内に仕込んだ（水性の）溶媒（必要があれば所定の温度に調節したもの）に対して、所定の滴下時間に渡って連続的に滴下しながら重合することが好ましい。さらに水性の溶媒の一部についても、反応系内の容器に予め仕込んでなる初期仕込みの溶媒とは別に、後から滴下してもよい。ただし、本発明の製造方法は、これらに制限されない。例えば、滴下方法に関しては、連続的に滴下しても、断続的に何度かに小分けして滴下してもよい。単量体の１種または２種以上を、一部または全量を初期仕込みしてもよい（すなわち、重合開始時に一時に全量ないしその一部を滴下したものと見なすこともできる）。また、単量体の１種または２種以上の滴下速度（滴下量）も、滴下の開始から終了まで常に一定（一定量）として滴下してもよいし、あるいは重合温度等に応じて経時的に滴下速度（滴下量）を変化させてもよい。また、すべての滴下成分を同じように滴下せずとも、滴下成分ごとに開始時や終了時をずらせたり、滴下時間を短縮させたり延長させてもよい。このように、本発明の製造方法は、本発明の作用効果を損なわない範囲で適当に変更可能である。また、溶液の形態で各成分を滴下する場合には、反応系内の重合温度と同程度まで滴下溶液を加温しておいてもよい。こうしておくと、重合温度を一定に保持する場合に、温度変動が少なく温度調整が容易である。
【００５２】
開始剤系として重亜硫酸塩を使用する場合に、重亜硫酸塩は、重合初期の分子量が最終分子量に大きく影響する。このため、初期分子量を低下させるために、重合開始より６０分以内、好ましくは３０分以内、より好ましくは１０分以内に重亜硫酸塩ないしその溶液を５〜２０質量％添加（滴下）するのが望ましい。特に、後述するように、室温から重合を開始する場合には有効である。
【００５３】
また、重合の際の滴下成分のうち、開始剤系として重亜硫酸塩を使用する場合における、重亜硫酸塩ないしその溶液の滴下時間については、単量体（Ａ）、（Ｅ）の滴下終了よりも１〜３０分、好ましくは１〜２０分、より好ましくは１〜１５分滴下終了を早めることが好ましい。これにより、重合終了後の重亜硫酸塩量を低減でき、該重亜硫酸塩による亜硫酸ガスの発生や不純物の形成を有効かつ効果的に抑制することができる。そのため重合終了後、気相部の亜硫酸ガスが液相に溶解してできる不純物を格段に低減することができる。重合終了後に重亜硫酸塩が残存する場合には、不純物を生成し重合体の性能低下や低温保持時の不純物析出等を招くことにつながる。したがって、重合の終わりには重亜硫酸塩を含む開始剤が消費され残存していないことが望ましい。
【００５４】
ここで、重亜硫酸塩（溶液）の滴下終了時間を、単量体（Ａ）、（Ｅ）の滴下終了時間よりも１分未満しか早めることができない場合には、重合終了後に重亜硫酸塩が残存する場合がある。かような場合としては、重亜硫酸塩ないしその溶液の滴下終了と単量体（Ａ）、（Ｅ）の滴下終了が同時である場合や、重亜硫酸塩（溶液）の滴下終了の方が単量体（Ａ）、（Ｅ）の滴下終了よりも遅い場合が含まれる。こうした場合には亜硫酸ガスの発生や不純物の形成を有効かつ効果的に抑制しにくくなる傾向にあり、残存する開始剤が得られる重合体の熱的安定性に悪影響を及ぼす場合がある。一方、重亜硫酸塩ないしその溶液の滴下終了時間が単量体（Ａ）、（Ｅ）の滴下終了時間よりも３０分を超えて早い場合には、重合終了までに重亜硫酸塩が消費されてしまっている。このため、分子量が増大する傾向にある。そのほか、重合中に重亜硫酸塩の滴下速度が単量体（Ａ）、（Ｅ）の滴下速度に比して速く、短時間で多く滴下されるために、この滴下期間中に不純物や亜硫酸ガスが多く発生する傾向にある。
【００５５】
また、重合の際の滴下成分のうち、開始剤系として重亜硫酸塩を使用する場合における、過硫酸塩（溶液）の滴下終了時間は、単量体（Ａ）、（Ｅ）の滴下終了時間よりも１〜３０分、好ましくは１〜２０分、より好ましくは１〜１５分遅らせることが好ましい。これにより、重合終了後に残存する単量体成分量を低減できるなど、残存モノマーに起因する不純物を格段に低減することができる。
【００５６】
ここで、過硫酸塩（溶液）の滴下終了時間が単量体（Ａ）、（Ｅ）の滴下終了時間よりも１分未満しか遅くすることができない場合には、重合終了後に単量体成分が残存する場合がある。かような場合としては、過硫酸塩（溶液）の滴下終了と単量体（Ａ）、（Ｅ）の滴下終了が同時である場合や、過硫酸塩（溶液）の滴下終了の方が単量体（Ａ）、（Ｅ）の滴下終了よりも早い場合が含まれる。こうした場合には、不純物の形成を有効かつ効果的に抑制するのが困難となる傾向にある。一方、過硫酸塩（溶液）の滴下終了時間が単量体（Ａ）、（Ｅ）の滴下終了時間よりも３０分を超えて遅い場合には、重合終了後に過硫酸塩またはその分解物が残存し、不純物を形成する恐れがある。
【００５７】
（重合時間）
重合に際しては、重合温度を低くして開始剤系として重亜硫酸塩を使用する場合においても、亜硫酸ガスの発生を抑え、不純物の形成を防止することがより重要である。このため、重合の際の総滴下時間は、１８０〜６００分、好ましくは２１０〜４８０分、より好ましくは２４０〜４２０分と長くすることが好ましい。総滴下時間が１８０分未満の場合には、開始剤系として添加する過硫酸塩溶液および重亜硫酸塩溶液による効果が低下する傾向にある。そのため、得られるアクリル酸系重合体に対して、末端や側鎖に導入されるスルホン酸基等の硫黄含有基の量が低下する傾向にある。その結果、該重合体の重量平均分子量が高くなる傾向にある。また、反応系内に短期間に滴下されることで過剰に重亜硫酸塩が存在することが起こり得る。このため、こうした過剰な重亜硫酸塩が分解して亜硫酸ガスが発生し、系外に放出されたり、不純物を形成したりすることがある。ただし、重合温度および開始剤量を低い特定の範囲で実施することにより改善する傾向にある。一方、総滴下時間が６００分を越える場合には、亜硫酸ガスの発生が抑えられるため、得られる重合体の性能は良好である。しかし、アクリル酸系重合体の生産性が低下し、使用用途が制限される場合がある。ここでいう総滴下時間とは、最初の滴下成分（１成分とは限らない）の滴下開始時から最後の滴下成分（１成分とは限らない）を滴下完了するまでの時間をいう。
【００５８】
（重合濃度）
上記各成分の滴下が終了し、重合反応系における重合反応が終了した時点での水溶液中の固形分濃度（すなわち単量体の重合固形分濃度）は、好ましくは３５質量％以上、より好ましくは４０〜７０質量％、更に好ましくは４５〜６５質量％である。このように重合反応終了時の固形分濃度が３５質量％以上であれば、高濃度かつ一段で重合を行うことができる。そのため、効率よく低分子量のアクリル酸系重合体を得ることができる。例えば、従来の製造方法では場合によっては必要であった濃縮工程を省略することができる。それゆえ、その製造効率を大幅に上昇させたものとすることができる。その結果、アクリル酸系重合体の生産性が大幅に向上し、製造コストの上昇も抑制することが可能となる。
【００５９】
ここで、上記固形成濃度が３５質量％未満の場合には、アクリル酸系重合体の生産性を大幅に向上することができない場合がある。例えば、濃縮工程を省略することが困難となる。
【００６０】
重合反応系において固形分濃度を高くすると、重合反応の進行に伴う反応溶液の粘度の上昇が顕著となり、得られる重合体の重量平均分子量も大幅に高くなる傾向にある。しかしながら、重合反応を酸性側（２５℃でのｐＨが１〜６であり、中和度が１〜２５ｍｏｌ％の範囲）で行うことにより、重合反応が進行に伴う反応溶液の粘度の上昇を抑制することができる。それゆえ、重合反応を高濃度の条件下で行っても低分子量の重合体を得ることができ、重合体の製造効率を大幅に上昇させることができる。
【００６１】
ここで、重合反応が終了した時点とは、全ての滴下成分の滴下が終了した時点であってもよいが、好ましくはその後、所定の熟成時間を経過し（重合が完結し）た時点を言う。
【００６２】
（熟成工程）
上記熟成時間は、通常１〜１２０分間、好ましくは５〜６０分間、より好ましくは１０〜３０分間である。熟成時間が１分間未満の場合には、熟成不十分につき単量体成分が残ることがあり、残存モノマーに起因する不純物を形成し性能低下などを招くおそれがある。一方、熟成時間が１２０分間を超える場合には、重合体溶液の着色の恐れがある。そのほか、既に重合が完結しており、更なる重合温度を印加することは不経済である。
【００６３】
また、熟成中は、上記重合反応期間内であり、重合中に含まれるため、上記重合温度が適用される。したがって、ここでの温度も一定温度（好ましくは滴下終了時点での温度）で保持してもよいし、熟成中に経時的に温度を変化させてもよい。したがって、重合時間は、上記総滴下時間＋熟成時間をいい、最初の滴定開始時点から熟成終了時点までに要した時間をいう。
【００６４】
（重合後の工程）
本発明に係るアクリル酸系重合体の製造方法では、重合は、上記の通り酸性条件下で行われることが好ましい。そのため、得られるアクリル酸系重合体の中和度（最終中和度）は、重合が終了した後に、必要に応じて、後処理として適当なアルカリ成分を適宜添加することによって所定の範囲に設定されても良い。
【００６５】
該最終中和度は、その使用用途によって異なるため特に制限されるべきものではなく、１〜１００ｍｏｌ％の極めて広範囲に設定可能である。例えば、素肌に優しいといわれている弱酸性洗剤などに、洗剤ビルダーとして利用するような場合には、酸性のまま中和せずに使用してもよい。また、中性洗剤やアルカリ洗剤などに使用するような場合には、後処理としてアルカリ成分で中和して中和度９０ｍｏｌ％以上に中和して使用してもよい。特に酸性の重合体として使用する場合の最終中和度は、好ましくは１〜７５ｍｏｌ％、より好ましくは５〜７０ｍｏｌ％である。中性ないしアルカリ性の重合体として使用する場合の最終中和度は、好ましくは７５〜１００ｍｏｌ％、より好ましくは８５〜９９ｍｏｌ％である。また、中性ないしアルカリ性の重合体として使用する場合の最終中和度が９９ｍｏｌ％を超える場合には重合体水溶液が着色する恐れがある。
【００６６】
上記アルカリ成分としては、例えば、水酸化ナトリウム、水酸化カリウムなどのアルカリ金属の水酸化物；水酸化カルシウム、水酸化マグネシウムなどのアルカリ土類金属の水酸化物；アンモニア、モノエタノールアミン、ジエタノールアミン、トリエタノールアミンなどの有機アミン類で代表されるようなものが挙げられる。上記アルカリ成分は１種類のみを用いても良いし、２種類以上の混合物を用いても良い。
【００６７】
また、上述したように酸性のまま中和せずに使用するような場合には、反応系内が酸性のため、反応系内の雰囲気中に毒性のある亜硫酸ガス（ＳＯ２ガス）が残存している場合がある。こうした場合には、過酸化水素などの過酸化物を入れて分解するか、あるいは空気や窒素ガスを導入（ブロー）して追い出しておくのが望ましい。
【００６８】
（その他の製造条件）
本発明の（メタ）アクリル酸系共重合体は、バッチ式で製造されてもよいし、連続式で製造されてもよい。
【００６９】
＜本発明の重合体、重合体組成物の用途＞
本発明の重合体（または重合体組成物）は、水処理剤、繊維処理剤、分散剤、洗剤ビルダー（または洗剤組成物）、スケール防止剤（スケール抑制剤）、金属イオン封止剤、増粘剤、セメント添加剤、各種バインダー、乳化剤、スキンケア剤、ヘアケア剤等として用いられうる。洗剤ビルダーとしては、衣料用、食器用、住居用、毛髪用、身体用、歯磨き用、及び自動車用など、様々な用途の洗剤に添加されて使用されうる。
【００７０】
（水処理剤）
本発明の重合体（または重合体組成物）は、水処理剤に用いることができる。該水処理剤には、必要に応じて、他の配合剤として、重合リン酸塩、ホスホン酸塩、防食剤、スライムコントロール剤、キレート剤を用いても良い。
【００７１】
上記水処理剤は、冷却水循環系、ボイラー水循環系、海水淡水化装置、逆浸透膜処理装置、パルプ蒸解釜、黒液濃縮釜等でのスケール防止に有用である。また、性能、効果に影響しない範囲で、任意の適切な水溶性重合体を含んでもよい。
【００７２】
（繊維処理剤）
本発明の重合体（または重合体組成物）は、繊維処理剤に用いることができる。該繊維処理剤は、染色剤、過酸化物および界面活性剤からなる群より選ばれる少なくとも１つと、本発明の重合体（または重合体組成物）を含む。
【００７３】
上記繊維処理剤における本発明の重合体の含有量は、繊維処理剤全体に対して、好ましくは１〜１００重量％であり、より好ましくは５〜１００重量％である。また、性能、効果に影響しない範囲で、任意の適切な水溶性重合体を含んでいてもよい。
【００７４】
以下に、より実施形態に近い、繊維処理剤の配合例を示す。この繊維処理剤は、繊維処理における精錬、染色、漂白、ソーピングの工程で使用することができる。染色剤、過酸化物および界面活性剤としては繊維処理剤に通常使用されるものが挙げられる。
【００７５】
本発明の共重合体と、染色剤、過酸化物および界面活性剤からなる群より選ばれる少なくとも１つとの配合比率は、例えば、繊維の白色度、色むら、染色けんろう度の向上のためには、繊維処理剤純分換算で、本発明の重合体１重量部に対して、染色剤、過酸化物および界面活性剤からなる群より選ばれる少なくとも１つを０．１〜１００重量部の割合で配合された組成物を繊維処理剤として用いることが好ましい。
【００７６】
上記繊維処理剤を使用できる繊維としては、任意の適切な繊維を採用し得る。例えば、木綿、麻等のセルロース系繊維、ナイロン、ポリエステル等の化学繊維、羊毛、絹糸等の動物性繊維、人絹等の半合成繊維およびこれらの織物および混紡品が挙げられる。
【００７７】
上記繊維処理剤を精錬工程に適用する場合は、本発明の重合体と、アルカリ剤および界面活性剤とを配合することが好ましい。漂白工程に適用する場合では、本発明の共重合体と、過酸化物と、アルカリ性漂白剤の分解抑制剤としての珪酸ナトリウム等の珪酸系薬剤とを配合することが好ましい。
【００７８】
（無機顔料分散剤）
本発明の重合体（または重合体組成物）は、無機顔料分散剤に用いることができる。該無機顔料分散剤には、必要に応じて、他の配合剤として、縮合リン酸およびその塩、ホスホン酸およびその塩、ポリビニルアルコールを用いても良い。
【００７９】
上記無機顔料分散剤中における、本発明の重合体の含有量は、無機顔料分散剤全体に対して、好ましくは５〜１００重量％である。また性能、効果に影響しない範囲で、任意の適切な水溶性重合体を含んでいてもよい。
【００８０】
上記無機顔料分散剤は、紙コーティングに用いられる重質ないしは軽質炭酸カルシウム、クレイの無機顔料の分散剤として良好な性能を発揮し得る。例えば、無機顔料分散剤を無機顔料に少量添加して水中に分散することにより、低粘度でしかも高流動性を有し、かつ、それらの性能の経日安定性が良好な、高濃度炭酸カルシウムスラリーのような高濃度無機顔料スラリーを製造することができる。
【００８１】
上記無機顔料分散剤を無機顔料の分散剤として用いる場合、該無機顔料分散剤の使用量は、無機顔料１００重量部に対して、０．０５〜２．０重量部が好ましい。該無機顔料分散剤の使用量が上記範囲内にあることによって、十分な分散効果を得ることが可能となり、添加量に見合った効果を得ることが可能となり、経済的にも有利となり得る。
【００８２】
（セメント添加剤）
本発明の重合体（または重合体組成物）は、セメント添加剤として用いられうる。セメント添加剤として用いる場合、上記一般式（１）で表される構造単位に加え、下記一般式（２）で表される構造単位を有することが好ましい。
【００８３】
【化４】
0005562166.tif 000005
【００８４】
上記一般式（２）中、Ｒ１、Ｒ２及びＲ３は、同一若しくは異なって、水素原子又はメチル基を表す。Ｒ４は、水素原子又は炭素数１〜２０の炭化水素基を表す。Ｒａは、同一又は異なって、炭素数２〜１８のアルキレン基を表す。ｍは、ＲａＯで表されるオキシアルキレン基の平均付加モル数を表し、１〜３００の数である。Ｘは、炭素数１〜５の二価のアルキレン基を表すか、又は、Ｒ１Ｒ３Ｃ＝ＣＲ２−で表される基がビニル基の場合、Ｘに結合している炭素原子、酸素原子同士が直接結合していることを表す。
上記一般式（１）における−（ＲａＯ）−で表されるオキシアルキレン基が同一の不飽和アルコールポリアルキレングリコール付加物に２種以上存在する場合には、−（ＲａＯ）−で表されるオキシアルキレン基がランダム付加、ブロック付加、交互付加等のいずれの付加形態であってもよい。
上記−（ＲａＯ）−で表されるオキシアルキレン基は、炭素数２〜１８のアルキレンオキシド付加物であるが、このようなアルキレンオキシド付加物の構造は、エチレンオキシド、プロピレンオキシド、ブチレンオキシド、イソブチレンオキシド、１−ブテンオキシド、２−ブテンオキシド等のアルキレンオキシドの１種又は２種以上により形成される構造である。このようなアルキレンオキシド付加物の中でも、エチレンオキシド、プロピレンオキシド、ブチレンオキシド付加物であることが好ましい。更にエチレンオキシドが主体（全アルキレンオキシド１００モル％に対し、５０〜１００モル％）であるものが更に好ましい。
セメント添加剤として用いる場合、本発明の重合体は、全単量体由来の構造に対して、上記一般式（１）で表される構造（酸型換算）を１〜５０質量％、上記一般式（１）で表される構造を５０〜９９質量％含むことが好ましい。
【００８５】
（洗剤ビルダー）
本発明の重合体（または重合体組成物）は、洗剤ビルダーとして用いられうる。洗剤ビルダーとしては、衣料用、食器用、住居用、毛髪用、身体用、歯磨き用、及び自動車用など、様々な用途の洗剤に添加されて使用されうる。
【００８６】
（洗剤組成物）
本発明の重合体（または重合体組成物）は、洗剤組成物にも添加しうる。
【００８７】
洗剤組成物における当該共重合体の含有量は特に制限されない。ただし、優れたビルダー性能を発揮しうるという観点からは、共重合体の含有量は、洗剤組成物の全量に対して、好ましくは０．１〜１５質量％であり、より好ましくは０．３〜１０質量％であり、さらに好ましくは０．５〜５質量％である。
【００８８】
洗剤用途で用いられる洗剤組成物には、通常、洗剤に用いられる界面活性剤や添加剤が含まれる。これらの界面活性剤や添加剤の具体的な形態は特に制限されず、洗剤分野において従来公知の知見が適宜参照されうる。また、上記洗剤組成物は、粉末洗剤組成物であってもよいし、液体洗剤組成物であってもよい。
【００８９】
界面活性剤は、アニオン性界面活性剤、ノニオン性界面活性剤、カチオン性界面活性剤および両性界面活性剤からなる群から選択される１種または２種以上である。２種以上が併用される場合、アニオン性界面活性剤とノニオン性界面活性剤との合計量は、界面活性剤の全量に対して５０質量％以上であることが好ましく、より好ましくは６０質量％以上であり、さらに好ましくは７０質量％以上であり、特に好ましくは８０質量％以上である。
【００９０】
アニオン性界面活性剤としては、アルキルベンゼンスルホン酸塩、アルキルエーテル硫酸塩、アルケニルエーテル硫酸塩、アルキル硫酸塩、アルケニル硫酸塩、α−オレフィンスルホン酸塩、α−スルホ脂肪酸またはエステル塩、アルカンスルホン酸塩、飽和脂肪酸塩、不飽和脂肪酸塩、アルキルエーテルカルボン酸塩、アルケニルエーテルカルボン酸塩、アミノ酸型界面活性剤、Ｎ−アシルアミノ酸型界面活性剤、アルキルリン酸エステルまたはその塩、アルケニルリン酸エステルまたはその塩等が好適である。これらのアニオン性界面活性剤におけるアルキル基、アルケニル基には、メチル基等のアルキル基が分岐していてもよい。
【００９１】
ノニオン性界面活性剤としては、ポリオキシアルキレンアルキルエーテル、ポリオキシアルキレンアルケニルエーテル、ポリオキシエチレンアルキルフェニルエーテル、高級脂肪酸アルカノールアミドまたはそのアルキレンオキサイド付加物、ショ糖脂肪酸エステル、アルキルグリコキシド、脂肪酸グリセリンモノエステル、アルキルアミンオキサイド等が好適である。これらのノニオン性界面活性剤におけるアルキル基、アルケニル基には、メチル基等のアルキル基が分岐していてもよい。
【００９２】
カチオン性界面活性剤としては、第４級アンモニウム塩等が好適である。また、両性界面活性剤としては、カルボキシル型両性界面活性剤、スルホベタイン型両性界面活性剤等が好適である。これらのカチオン性界面活性剤、両性界面活性剤におけるアルキル基、アルケニル基は、メチル基等のアルキル基が分岐していてもよい。
【００９３】
上記界面活性剤の配合割合は、通常、洗剤組成物の全量に対して１０〜６０質量％であり、好ましくは１５〜５０質量％であり、さらに好ましくは２０〜４５質量％であり、特に好ましくは２５〜４０質量％である。界面活性剤の配合割合が少なすぎると、十分な洗浄力を発揮できなくなる虞があり、界面活性剤の配合割合が多すぎると、経済性が低下する虞がある。
【００９４】
添加剤としては、アルカリビルダー、キレートビルダー、カルボキシメチルセルロースナトリウム等の汚染物質の再沈着を防止するための再付着防止剤、ベンゾトリアゾールやエチレン−チオ尿素等の汚れ抑制剤、ソイルリリース剤、色移り防止剤、柔軟剤、ｐＨ調節のためのアルカリ性物質、香料、可溶化剤、蛍光剤、着色剤、起泡剤、泡安定剤、つや出し剤、殺菌剤、漂白剤、漂白助剤、酵素、染料、溶媒等が好適である。また、粉末洗剤組成物の場合にはゼオライトを配合することが好ましい。
【００９５】
上記洗剤組成物は、本発明の重合体（または重合体組成物）に加えて、他の洗剤ビルダーを含んでもよい。他の洗剤ビルダーとしては、特に制限されないが、例えば、炭酸塩、炭酸水素塩、珪酸塩などのアルカリビルダーや、トリポリリン酸塩、ピロリン酸塩、ボウ硝、ニトリロトリ酢酸塩、エチレンジアミンテトラ酢酸塩、クエン酸塩、（メタ）アクリル酸の共重合体塩、アクリル酸−マレイン酸共重合体、フマル酸塩、ゼオライト等のキレートビルダー、カルボキシメチルセルロース等の多糖類のカルボキシル誘導体等が挙げられる。上記ビルダーに用いられる対塩としては、ナトリウム、カリウムなどのアルカリ金属、アンモニウム、アミン等が挙げられる。
【００９６】
上記添加剤と他の洗剤用ビルダーの合計の配合割合は、通常、洗浄剤組成物１００質量％に対して０．１〜５０質量％が好ましい。より好ましくは０．２〜４０質量％であり、さらに好ましくは０．３〜３５質量％であり、特に好ましくは０．４〜３０質量％であり、最も好ましくは０．５〜２０質量％以下である。添加剤／他の洗剤ビルダーの配合割合が０．１質量％未満であると、十分な洗剤性能を発揮できなくなる虞があり、５０質量％を超えると経済性が低下する虞がある。
【００９７】
なお、上記洗剤組成物の概念には、家庭用洗剤の合成洗剤、繊維工業その他の工業用洗剤、硬質表面洗浄剤のほか、その成分の１つの働きを高めた漂白洗剤等の特定の用途にのみ用いられる洗剤も含まれる。
【００９８】
上記洗剤組成物が液体洗剤組成物である場合、液体洗剤組成物に含まれる水分量は、通常、液体洗剤組成物の全量に対して０．１〜７５質量％であることが好ましく、より好ましくは０．２〜７０質量％であり、さらに好ましくは０．５〜６５質量％であり、さらにより好ましくは０．７〜６０質量％であり、特に好ましくは１〜５５質量％であり、最も好ましくは１．５〜５０質量％である。
【００９９】
上記洗剤組成物が液体洗剤組成物である場合、当該洗剤組成物は、カオリン濁度が２００ｍｇ／Ｌ以下であることが好ましく、より好ましくは１５０ｍｇ／Ｌ以下であり、さらに好ましくは１２０ｍｇ／Ｌ以下であり、特に好ましくは１００ｍｇ／Ｌ以下であり、最も好ましくは５０ｍｇ／Ｌ以下である。
（カオリン濁度の測定方法）
厚さ１０ｍｍの５０ｍｍ角セルに均一に攪拌した試料（液体洗剤）を仕込み、気泡を除いた後、日本電色株式会社製ＮＤＨ２０００（商品名、濁度計）を用いて２５℃でのＴｕｂｉｄｉｔｙ（カオリン濁度：ｍｇ／Ｌ）を測定する。
上記洗浄剤組成物に配合することができる酵素としては、プロテアーゼ、リパーゼ、セルラーゼ等が好適である。中でも、アルカリ洗浄液中で活性が高いプロテアーゼ、アルカリリパーゼ及びアルカリセルラーゼが好ましい。
上記酵素の添加量は、洗浄剤組成物１００質量％に対して５質量％以下であることが好ましい。５質量％を超えると、洗浄力の向上が見られなくなり、経済性が低下するおそれがある。
上記アルカリビルダーとしては、珪酸塩、炭酸塩、硫酸塩等が好適である。上記キレートビルダーとしては、ジグリコール酸、オキシカルボン酸塩、ＥＤＴＡ（エチレンジアミン四酢酸）、ＤＴＰＡ（ジエチレントリアミン五酢酸）、ＳＴＰＰ（トリポリリン酸ナトリウム）、クエン酸等が好適である。本発明における共重合体以外のその他の水溶性ポリカルボン酸系ポリマーを用いてもよい。
上記洗浄剤組成物は、分散能に優れ、更に、長期間保存した場合の性能低下や低温で保持した場合の不純物析出等が生じにくい極めて高品質剤性能で安定性に優れた洗剤とすることができる。
【実施例】
【０１００】
以下に実施例を掲げて本発明を更に詳細に説明するが、本発明はこれらの実施例のみに限定されるものではない。なお、特に断りのない限り、「部」は「質量部」を、「％」は「質量％」を意味するものとする。
また、単量体の定量、共重合体の重量平均分子量の測定及び評価は、下記方法に従って行なった。
【０１０１】
＜共重合体に含まれるＳ量および全Ｓ量の測定＞
重合により得られたアクリル酸系重合体の透析処理前後のＳ量を誘導結合プラズマ（Ｉｎｄｕｃｔｉｖｅｌｙ  Ｃｏｕｐｌｅｄ  Ｐｌａｓｍａ，ＩＣＰ）発光分光分析法によって定量した。ここで、透析処理前のアクリル酸系重合体のＳ量を「全Ｓ量」とした。また、透析処理後のアクリル酸系重合体のＳ量を「ポリマーに含まれるＳ量」とした。透析法については以下の通り。
【０１０２】
＜透析法＞
（ｉ）重合により得られたアクリル酸系重合体につき、適量の水を加えて、固形分濃度３０質量％のアクリル酸系重合体水溶液を調製した。これを透析膜４０ｃｍ（長さ）中に２０ｇ入れ密閉した。透析膜にはＳｐｅｃｔｒａ／Ｐｏｒ  Ｍｅｍｂｒａｎｅ  ＭＷＣＯ：１０００  分画分子量１０００（ＳＰＥＣＴＲＵＭ  ＬＡＢＯＲＡＴＯＲＩＥＳ  ＩＮＣ製）を用いた。なお、本発明では、当該透析膜と同程度の分画分子量を有するものであればよい。
（ｉｉ）これを２リットルビーカーに入った２０００ｇの水に浸し、スターラーで攪拌した。
（ｉｉｉ）６時間後、ビーカーから透析膜を取り出し、透析膜の外側を水でよく洗い流した後、透析膜の中身を取り出した。
（ｉｖ）これをエヴァポレーターで濃縮したものを透析処理後のアクリル酸系重合体サンプルとした。
なお、透析処理前のアクリル酸系重合体サンプルとしては、上記（ｉ）における、重合により得られたアクリル酸系重合体を、上記（ｉｖ）と同様にしてエヴァポレーターで濃縮したものを用いた。
【０１０３】
＜単量体の定量方法＞
単量体等の含有量の測定は、下記条件で、液体クロマトグラフィーを用いて行なった。
装置：株式会社日立製作所製  Ｌ−７０００シリーズ
検出器：株式会社日立製作所製  ＵＶ検出器  Ｌ−７４００
カラム：株式会社昭和電工製  Ｓｈｏｄｅｘ  ＲＳｐａｋ  ＤＥ−４１３Ｌ
流量：１．０ｍｌ／ｍｉｎ
カラム温度：４０℃
移動相：０．１％リン酸水溶液。
【０１０４】
＜重量平均分子量の測定条件＞
装置：日立社製 Ｌ−７０００シリーズ
検出器：ＲＩ
カラム：昭和電工社製  ＳＨＯＤＥＸ  Ａｓａｈｉｐａｋ  ＧＦ−３１０−ＨＱ，  ＧＦ−７１０−ＨＱ，  ＧＦ−１Ｇ  ７Ｂ
カラム温度：４０℃
流速：０．５ｍｌ／ｍｉｎ
検量線：創和科学株式会社製  ＰＯＬＹＡＣＲＹＬＩＣ  ＡＣＩＤ  ＳＴＡＮＤＡＲＤ
溶離液：０．１Ｎ酢酸ナトリウム水溶液．
＜固形分の測定＞
窒素雰囲気下、１７０℃に加熱したオーブンで本発明の重合体（重合体組成物）１．０ｇに水１．０ｇを加えたもの）を１時間放置して乾燥処理した。乾燥前後の重量変化から、固形分（％）と、揮発成分（％）を算出した。
【０１０５】
＜重合体組成物の粘度＞
容器：５００ｍｌのガラス製ビーカー
液温：２５℃
粘度計等：Ｂ型粘度計、Ｎｏ．３ローター、３０ｒｐｍ。
【０１０６】
＜防カビ試験＞
重合体組成物を固形分５質量％に希釈して、屋外に直射日光が当たらないようにかつ雨が入らないように３０日放置した。その後、目視、臭覚にて、カビの発生を評価した。
【０１０７】
＜再汚染防止能＞
（１）Ｔｅｓｔ  ｆａｂｒｉｃ社より入手したポリエステル布を５ｃｍ×５ｃｍに切断し、白布を作成した。この白布を予め日本電色工業社製の測色色差計ＳＥ２０００型を用いて、白色度を反射率にて測定した。
（２）塩化カルシウム２水和物４．４１ｇに純水を加えて１５ｋｇとし、硬水を調製した。
（３）直鎖アルキルベンゼンスルホン酸ナトリウム４．０ｇ、炭酸ナトリウム６．０ｇ、硫酸ナトリウム２．０ｇに純水を加えて１００．０ｇとし、界面活性剤水溶液を調製した。
（４）ターゴットメーターを２５℃にセットし、硬水１Ｌと界面活性剤水溶液５ｇ、固形分換算で２％の重合体水溶液１ｇ、ゼオライト０．１５ｇ、カーボンブラック０．２５ｇをポットに入れ、１００ｒｐｍで１分間攪拌した。その後、白布１０枚を入れ１００ｒｐｍで１０分間攪拌した。
（５）手で白布の水を切り、２５℃にした水道水１Ｌをポットに入れ、１００ｒｐｍで２分間攪拌した。これを２回行った。
（６）白布に当て布をして、アイロンでしわを伸ばしながら乾燥させた後、上記測色色差計にて再度白布の白度を反射率にて測定した。
（７）以上の測定結果から下式により再汚染防止率を求めた。
再汚染防止率（％）＝（洗浄後の白色度）／（原白布の白色度）×１００
＜実施例１＞
体積流量計を備えた外部循環冷却装置（溶液保有量１７０ｍｌ）、還流冷却器および攪拌機を備えた容量５リットルのＳＵＳ製セパラブルフラスコに、純水３５０．０ｇを仕込み（初期仕込）、攪拌下、加熱昇温した。
外部循環装置を流速約５０ｍｌ／ｍｉｎで作動させ、セパラブルフラスコ内の溶液温度を約９０℃とした。このとき、外部循環装置の出口温度は約５５℃であった。以後、流速を±５ｍｌ／ｍｉｎの幅で調整することによって、溶液温度を約９０℃に保った。
次いで攪拌下、約９０℃一定状態の重合反応系中にアクリル酸を８０質量％、プロピオン酸を０．１４質量％含む水溶液（以下、ＡＡ（１）と略す）９００．０ｇ（１０．０ｍｏｌ）、４８％水酸化ナトリウム水溶液（以下、４８％ＮａＯＨと略す）４１．７ｇ（０．５ｍｏｌ）、１５％過硫酸ナトリウム水溶液（以下、１５％ＮａＰＳと略す）１３３．３ｇ｛対単量体投入量（ここで、単量体投入量とは、単量体組成物の全ての投入量をいう。以下同様とする。）に換算すると２．０ｇ／ｍｏｌ｝、３５％重亜硫酸ナトリウム水溶液（以下、３５％ＳＢＳと略す）１４２．９ｇ（対単量体投入量に換算すると５．０ｇ／ｍｏｌ）をそれぞれ別個の滴下ノズルより滴下した。それぞれの滴下時間は、ＡＡ（１）、４８％ＮａＯＨを３００分間、１５％ＮａＰＳを３１０分間、３５％ＳＢＳを２９０分間とした。また、それぞれの滴下時間の間、各成分の滴下速度は一定とし、連続的に滴下した。
滴下終了後、さらに３０分間に渡って反応溶液を９０℃に保持して熟成し重合を完結せしめた。重合の完結後、反応溶液を放冷し、４８％ＮａＯＨ７５０．０ｇ（９．０ｍｏｌ）を攪拌下、反応溶液に徐々に滴下して中和した。このようにして、固形分濃度が４５質量％、最終中和度が９５ｍｏｌ％の重合体組成物（１）（含まれる重合体は重合体（１））を得た。重合体（１）の重量平均分子量（ＭＷ）を表１にまとめた。
なお、重合体組成物（１）におけるアクリル酸系重合体に対するプロピオン酸の質量％は、仕込み量通りであった。
【０１０８】
＜実施例２＞
実施例１において、アクリル酸を８０質量％、プロピオン酸を０．１４質量％含む水溶液（以下、ＡＡ（１）と略す）９００．０ｇに変えて、アクリル酸を８０質量％、プロピオン酸を０．２６質量％含む水溶液（以下、ＡＡ（１）と略す）９００．０ｇを使用する以外は実施例１と同様にして、固形分濃度が４６質量％の重合体組成物（２）を得た（含まれる共重合体をそれぞれ重合体（２）とする）。
【０１０９】
＜実施例３＞
実施例１において、アクリル酸を８０質量％、プロピオン酸を０．１４質量％含む水溶液（以下、ＡＡ（１）と略す）９００．０ｇに変えて、アクリル酸を８０質量％、プロピオン酸を０．５２質量％含む水溶液（以下、ＡＡ（１）と略す）９００．０ｇを使用する以外は実施例１と同様にして、固形分濃度が４６質量％の重合体組成物（３）を得た（含まれる共重合体をそれぞれ重合体（３）とする）。
【０１１０】
＜比較例１＞
実施例１において、アクリル酸を８０質量％、プロピオン酸を０．１４質量％含む水溶液（以下、ＡＡ（１）と略す）９００．０ｇに変えて、８０％アクリル酸水溶液（以下、８０％ＡＡと略す）９００．０ｇを使用する以外は実施例１と同様にして、固形分濃度が４５質量％の比較重合体組成物（１）を得た（含まれる比較重合体をそれぞれ比較重合体（１）とする）。
【０１１１】
＜実施例７＞
得られた重合体組成物（１）〜（３）、および比較重合体組成物（１）の粘性、防カビ試験、再汚染防止能の結果を評価した。再汚染防止能については、重合体を添加しない場合も合わせて評価した。結果を表１に示す。
【０１１２】
【表１】
0005562166.tif 000006
【０１１３】
上記より、本発明の重合体組成物は、従来の重合体組成物と比較して、再汚染防止能を維持し、取り扱い性（粘性の低下）や防カビ性を改善することができることが明らかになった。
【産業上の利用可能性】
【０１１４】
本発明の重合体は、優れた良好な取り扱い性及び耐腐敗性を示すことから、洗剤ビルダー、顔料分散剤等の水溶性ポリマー用途に好適に使用することができる。